(57)【要約】【課題】構造物、地盤といった取り付けベースに対する取付物の角度調整作業を簡単に効率良く行える技術の開発。【解決手段】球座部２３を具備する受け座部２８Ｕと、球座部２３の湾曲受け面２３ａに凹曲面３８を面接触させ取付物が固定される取付台座部材３０と、取付台座部材３０のボルト挿通孔３５に通したねじ軸部５２が受け座部に球座部２３の頂部から穿設された孔内周の雌ねじ部２４に螺着され、取付台座部材を球座部に締め付け固定する固定用ボルト５０とを有し、取付台座部材３０の凹曲面の中央部に開口されたボルト挿通孔内に、球座部２３の湾曲受け面に沿う取付台座部材３０のスライド移動を可能にするクリアランスが確保されている取付物支持ユニット１１、取付物支持構造を提供する。【選択図】図２
2013174089.tif 000002
【特許請求の範囲】
【請求項１】
半球状の湾曲受け面を形成する球座部を具備する受け座部と、
この受け座部の前記球座部の前記湾曲受け面に面接触する凹曲面が形成された台座本体から取付物が固定される取付物固定部が張り出された取付台座部材と、
この取付台座部材の前記台座本体を貫通するボルト挿通孔に通したねじ軸部を前記受け座部に前記球座部の頂部から穿設された孔の内側の雌ねじ部に螺着して設けられ、前記取付台座部材を前記球座部に締め付け固定する固定用ボルトとを有し、
前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されていることを特徴とする取付物支持ユニット。
【請求項２】
取り付けベースに固定される取付用固定部と、前記受け座部及び該受け座部から突出されたねじ軸を具備する球座付き螺着部品とを有し、この球座付き螺着部品の前記ねじ軸が前記取付用固定部に設けられた雌ねじ部に螺着されていることを特徴とする請求項１に記載の取付物支持ユニット。
【請求項３】
取り付けベースに固定される取付用固定部と、
この取付用固定部に設けられ、半球状の湾曲受け面を形成する球座部を具備する受け座部と、
この受け座部の前記球座部の前記湾曲受け面に面接触する凹曲面が形成された台座本体から取付物が固定される取付物固定部が張り出された取付台座部材と、
この取付台座部材の前記台座本体を貫通するボルト挿通孔、及び前記受け座部に前記球座部の頂部から貫通された球座部貫通孔に通したねじ軸部を、前記取付用固定部に設けられた雌ねじ部に螺着して取り付けられ、前記取付台座部材を前記球座部に締め付け固定する固定用ボルトとを有し、
前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されていることを特徴とする取付物支持ユニット。
【請求項４】
前記ボルト挿通孔が長孔であることを特徴とする請求項１〜３のいずれか１項に記載の取付物支持ユニット。
【請求項５】
前記ボルト挿通孔が丸孔であることを特徴とする請求項１〜３のいずれか１項に記載の取付物支持ユニット。
【請求項６】
取り付けベースの複数箇所に請求項４に記載の取付物支持ユニットが、前記長孔が互いに平行の向きで固定され、前記取付物が、各取付物支持ユニットの取付台座部材の取付物固定部に固定して各取付物支持ユニットによって支持されていることを特徴とする取付物支持構造。
【発明の詳細な説明】
【技術分野】
【０００１】
本発明は、建物等の構造物、地盤といった取り付けベースに、太陽光発電パネル、アンテナ、太陽熱温水器等の機器あるいは該機器を支持するための架台といった比較的大型の取付物を固定する工事に好適に用いることができる取付物支持ユニット、取付物支持構造に関する。
【背景技術】
【０００２】
太陽光発電パネル、アンテナ、太陽熱温水器等の比較的大型の機器を地盤上に設置する工法としては、地盤の複数箇所に鋼管杭を打ち込み、これら鋼管杭の上端部（杭頭）に前記機器を支持するための架台をボルト固定し、複数の鋼管杭を前記架台及び該架台に取り付けた機器を支持する基礎として用いる工法（以下、杭上設置工法とも言う）がある。
【０００３】
ところで、鋼管杭の地盤への打ち込み作業にあっては、例えば土層の密度のばらつき等によって、鋼管杭が鉛直に対して僅かに傾斜して打ち込まれることがある。
多くの場合、地盤に打ち込んだ鋼管杭の鉛直に対する傾斜はごく僅かである。しかしながら、例えば、既述の架台のような比較的大型の設置物を複数の鋼管杭によって支持する場合などは、鋼管杭間のスパンが比較的大きく確保されることで、鋼管杭の傾斜が施工に与える影響が大きくなる。
【０００４】
このことについて、図１８（ａ）、（ｂ）の説明モデル図を参照して説明する。
図１８（ａ）は、地盤１１０の複数箇所に鉛直に打ち込んだ鋼管杭１２０上に長尺の棒材Ｂを固定して、前記棒材Ｂを水平方向に支持した場合を例示する。
複数の鋼管杭１２０は地盤１１０に互いに間隔をあけて一列に配置設置されている。棒材Ｂは、各鋼管杭１２０の地盤１１０上に突出された部分の上端部である杭頭１２０Ｈ上に固定されている。各鋼管杭１２０の上端は、地盤１１０の上面１１１からの突出寸法が互いに同じに揃えられている。
【０００５】
図１８（ｂ）は、前記棒材Ｂを支持するべく地盤１１０に打ち込んで一列に配置設置した複数の鋼管杭１２０のうち、図中符号１２１を付記した鋼管杭（以下、第１鋼管杭とも言う）が、その杭頭１２０Ｈとは反対の先端から杭頭１２０Ｈ側に行くに従って隣の鋼管杭１２２（以下、第２鋼管杭とも言う）に接近するように傾斜して地盤１１０に打ち込まれている場合を示す。第２鋼管杭１２２は、その中心軸線１２０Ｑを鉛直方向の仮想軸線Ｑ（以下、仮想鉛直軸線とも言う）に一致させて地盤１１０に打ち込まれている。図１８（ｂ）において、棒材Ｂは、第１鋼管杭１２１の上端上に固定されているが、該第１鋼管杭１２１の隣の第２鋼管杭１２２には固定されていない。
図１８（ｂ）の棒材Ｂと第２鋼管杭１２２上端との位置関係を見て判るように、第１鋼管杭１２１の仮想鉛直軸線Ｑに対する傾斜角度θ１が小さくても、互いに隣り合う鋼管杭１２１、１２２間の離隔距離（スパン）が長ければ、第２鋼管杭１２２上端に対する棒材Ｂのずれ量は大きくなる。このため、第２鋼管杭１２２上端に棒材Ｂを固定できない場合が発生する。
【０００６】
上述の杭上設置工法では、地盤に打ち込まれた鋼管杭が仮想鉛直軸線に対して傾斜していても設置物の水平支持を実現するために、杭頭と設置物との間にてその両側に、互いに厚みが異なるように１枚あるいは複数枚積層したシム板を入れることによる、設置物の杭頭に対する角度（傾斜角度）調整が行なわれている（以下、第１従来技術）。
シム板は、互いに厚みが異なる複数種類を用意し、現場合わせにて、杭頭と設置物との間に挿入して角度調整する。
【０００７】
また、設置物を基礎上に角度調整して支持する技術としては、以下の特許文献１、２の開示技術が存在する。
特許文献１は、大型の放射器を有するアンテナ装置について、前記放射器が先端に形成された支柱部（設置物）の基端の半球状の凸部を、基礎支柱部（基礎）に固定された支柱角度調整部の凹部に摺動可能に当接し、支柱角度調整部と接続され前記支柱部の基端を包囲する囲い部に、前記支柱部を３方向から固定する押し引き自在の固定手段を設け、支柱部の角度を任意の方向に調整可能とした構成を開示している（以下、第２従来技術）。
特許文献２には、基礎コンクリート（基礎）の上部定位置に取り付けたネジ部材に、球面、円錐面、角錐面等の凸面である上部表面が形成された耐圧剛性体が螺着され、この耐圧剛性体の上部表面に、鉄骨柱が立て込まれるベースプレート（設置物）の底面が点接触される建築基礎構造用レベル調整具、及び、前記耐圧剛性体上に載せたベースプレートのボルト挿通孔に、基礎コンクリートから突出させたアンカーボルトを通し、ボルト挿通孔から突出したアンカーボルトにナットを締め付ける建築工法が開示されている（以下、第３従来技術）。
【先行技術文献】
【特許文献】
【０００８】
【特許文献１】特開２００７−１２４４５５号公報
【特許文献２】特開２０１０−２８１０９５号公報
【発明の概要】
【発明が解決しようとする課題】
【０００９】
第１従来技術は、現場での鋼管杭（基礎）に対する設置物の角度調整のために、複数種類のシム板を多数用意する必要があり、現場へのシム板の搬入に手間と労力を要していた。また、シム板による角度調整は、シム板の厚みによって段階的であるため、細かい調整が難しく、角度調整に手間が掛るといった問題があった。
第２従来技術は、支柱部（設置物）を基礎支柱部（基礎）に対して目的の方向に目的の角度で傾斜支持するには、３つの固定手段の囲み部に対する位置を調整する必要があり、この作業が容易でなく、作業に手間が掛る。
第３従来技術は、ベースプレート（設置物）の基礎コンクリート（基礎）に対する角度を調整するには、周縁部の複数箇所のボルト挿通孔にそれぞれ通して該ボルト挿通孔から突出させたアンカーボルトに対するナットの螺着位置を調整する必要があり、この作業が容易でなく、作業に手間が掛る。
上述のように、設置物を基礎上に角度調整して支持する第１〜３従来技術は、いずれも角度調整作業に手間が掛るものであり、角度調整作業を簡単に効率良く行える技術が存在しないのが実情であった。
【００１０】
本発明は、前記課題に鑑みて、支柱部に対する取付物の角度調整作業を簡単に効率良く行える取付物支持ユニット、取付物支持構造の提供を目的としている。
【課題を解決するための手段】
【００１１】
上記課題を解決するために、本発明では以下の構成を提供する。
第１の発明は、半球状の湾曲受け面を形成する球座部を具備する受け座部と、この受け座部の前記球座部の前記湾曲受け面に面接触する凹曲面が形成された台座本体から取付物が固定される取付物固定部が張り出された取付台座部材と、この取付台座部材の前記台座本体を貫通するボルト挿通孔に通したねじ軸部を前記受け座部に前記球座部の頂部から穿設された孔の内側の雌ねじ部に螺着して設けられ、前記取付台座部材を前記球座部に締め付け固定する固定用ボルトとを有し、前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されていることを特徴とする取付物支持ユニットを提供する。
第２の発明は、取り付けベースに固定される取付用固定部と、前記受け座部及び該受け座部から突出されたねじ軸を具備する球座付き螺着部品とを有し、この球座付き螺着部品の前記ねじ軸が前記取付用固定部に設けられた雌ねじ部に螺着されていることを特徴とする第１の発明の取付物支持ユニットを提供する。
第３の発明は、取り付けベースに固定される取付用固定部と、この取付用固定部に設けられ、半球状の湾曲受け面を形成する球座部を具備する受け座部と、この受け座部の前記球座部の前記湾曲受け面に面接触する凹曲面が形成された台座本体から取付物が固定される取付物固定部が張り出された取付台座部材と、この取付台座部材の前記台座本体を貫通するボルト挿通孔、及び前記受け座部に前記球座部の頂部から貫通された球座部貫通孔に通したねじ軸部を、前記取付用固定部に設けられた雌ねじ部に螺着して取り付けられ、前記取付台座部材を前記球座部に締め付け固定する固定用ボルトとを有し、前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されていることを特徴とする取付物支持ユニットを提供する。
第４の発明は、前記ボルト挿通孔が長孔であることを特徴とする第１〜３のいずれか１つの発明の取付物支持ユニットを提供する。
第５の発明は、前記ボルト挿通孔が丸孔であることを特徴とする第１〜３のいずれか１つの発明の取付物支持ユニットを提供する。
第６の発明は、取り付けベースの複数箇所に第４に記載の取付物支持ユニットが、前記長孔が互いに平行の向きで固定され、前記取付物が、各取付物支持ユニットの取付台座部材の取付物固定部に固定して各取付物支持ユニットによって支持されていることを特徴とする取付物支持構造を提供する。
【発明の効果】
【００１２】
本発明によれば、取付物支持ユニットの取付台座部材は、受け座部の球座部に固定されていない状態において、球座部の湾曲受け面に沿ってスライド移動させて、支柱部及び受け座部に対する向きを簡単に調整できる。また、取付台座部材は、支柱部及び受け座部に対する向き調整後に固定用ボルトの締め付けによって受け座部の球座部に簡単に固定できる。
本発明によれば、取付物支持ユニットの取付台座部材の支柱部及び受け座部に対する向き調整によって、支柱部に対する取付物の角度調整作業を簡単に効率良く行える。
【図面の簡単な説明】
【００１３】
【図１】本発明の第１実施形態の取付物支持ユニットの外観構造を示す図であって、（ａ）は平面図、（ｂ）は正面図である。
【図２】図１の取付物支持ユニットの構造を説明する部分断面正面図である。
【図３】図１の取付物支持ユニットを固定用ボルトを省略して示した分解斜視図である。
【図４】本発明の第２実施形態の取付物支持ユニットの構造を示す平面図である。
【図５】図４の取付物支持ユニットを固定用ボルトを省略して示した分解斜視図である。
【図６】本発明の第３実施形態の取付物支持ユニットの外観構造を示す正面図である。
【図７】図６の取付物支持ユニットの平面図である。
【図８】図６の取付物支持ユニットの構造を説明する部分断面正面図である。
【図９】図６の取付物支持ユニットを説明する分解斜視図である。
【図１０】本発明の第４実施形態の取付物支持ユニットを、固定用ボルトを省略して示した平面図である。
【図１１】図１０の取付物支持ユニットの球座付き螺着部品、取付台座部材、ドーム形ワッシャを示す分解斜視図である。
【図１２】図１の取付物支持ユニットを用いて取り付けベースに上に取付物を支持した取付物支持構造の一例を示す図であり、（ａ）は太陽光発電パネルを取り付けた架台を複数の取付物支持ユニットによって支持した状態を示す正面図、（ｂ）は（ａ）の側面図である。
【図１３】本発明の第５実施形態の取付物支持ユニットの構造を説明する部分断面正面図である。
【図１４】本発明の第６実施形態の取付物支持ユニットの構造を説明する部分断面正面図である。
【図１５】本発明の第７実施形態の取付物支持ユニットの構造を説明する部分断面正面図である。
【図１６】本発明の第８実施形態の取付物支持ユニットの構造を説明する部分断面正面図である。
【図１７】本発明の実施形態の取付物支持ユニットの別態様を説明する図であって、受け座部からねじ軸として雌ねじ軸が突出された構成の球座付き螺着部品を具備する取付物支持ユニットの一例を示す図である。
【図１８】鋼管杭を用いて地盤上に設置物を支持する従来技術を略解的に説明する図であって、（ａ）は鉛直に施工した複数の鋼管杭によって棒材を水平支持した状態、（ｂ）は鋼管杭が鉛直に対して傾いて地盤に打ち込まれた場合を説明する図である。
【発明を実施するための形態】
【００１４】
以下、本発明に係る１実施形態の取付物支持ユニット、取付物支持構造について、図面を参照して説明する。
【００１５】
（第１実施形態）
まず、本発明に係る第１実施形態を図１（ａ）、（ｂ）〜図３、図１２（ａ）、（ｂ）を参照して説明する。
図１（ａ）、（ｂ）、図２に示すように、この実施形態の取付物支持ユニット１１は、支柱部２０と、この支柱部２０の片端に突設された球座部２３（受け座部２８Ｕ）と、この球座部２３に形成された半球状の湾曲受け面２３ａに凹曲面３８を面接触させて設けられた取付台座部材３０と、この取付台座部材３０を前記球座部２３に締め付け固定するための固定用ボルト５０とを有する。また、この取付物支持ユニット１１は、固定用ボルト５０のねじ軸部５２に外挿して該固定用ボルト５０の頭部５１と取付台座部材３０との間に介装されたドーム形ワッシャ４０も有する。
球座部２３は取付台座部材３０を支持する受け座部２８Ｕとして機能する。
【００１６】
なお、この実施形態の取付物支持ユニット１１の、支柱部２０、球座部２３、取付台座部材３０、ドーム形ワッシャ４０、固定用ボルト５０は、それぞれ金属製の一体成形品である。但し、これら支柱部２０、球座部２３、取付台座部材３０、ドーム形ワッシャ４０、固定用ボルト５０は、金属製の一体成形品に限定されず、金属製の複数部材を用いて組み立てた構成のものも採用可能である。
【００１７】
この取付物支持ユニット１１の支柱部２０は、建物等の構造物、地盤といった取り付けベースＴ（図１２（ａ）、（ｂ）参照）に固定される取付用固定部として機能する。
例えば図１２（ａ）、（ｂ）に示すように、取付物支持ユニット１１は、取り付けベースＴに支柱部２０を固定して設けられて、太陽光発電パネル８１、アンテナ、太陽熱温水器等の機器あるいは該機器を支持するための架台８２といった比較的大型の取付物の支持に用いられる。架台に固定して支持する物品としては、大型エアコン室外機、水槽等も挙げることができる。図１２（ａ）、（ｂ）は、取り付けベースＴに固定した複数の取付物支持ユニット１１によって取付物を支持した取付物支持構造の一例を示す。
取付物は、取付物支持ユニット１１の取付台座部材３０の取付物固定部３３にボルト−ナット等の締結具によって固定される。
【００１８】
前記支柱部２０は、例えば、該支柱部２０を取り付けベースＴに固定するための固定手段を有する構成を採用できる。但し、取付物支持ユニット１１としては、これに限定されず、固定手段を有していない支柱部２０が、別途設けられる取り付け金具等の固定手段によって取り付けベースに固定されることで、取り付けベースに固定施工される構成も採用可能である。
【００１９】
支柱部２０としては、例えば中実又は中空の金属製シャフト状部材であるが、これに限定されず、地盤に固定施工可能なアースアンカー、鋼管杭等も採用可能である。
図１２（ａ）、（ｂ）に例示した取付物支持ユニット１１の支柱部２０は、取り付けベースＴである地盤９１に固定するための固定手段として、螺旋状の羽根２５が外周に突設された構成のスクリュー形定着部２６を有する。支柱部２０は、球座部２３が設けられている筒状（図示例では円筒状）の基端部（後端部）から先端側が前記スクリュー形定着部２６とされた支柱本体２１を有する。取付物支持ユニット１１は、支柱本体２１のスクリュー形定着部２６を地盤に打ち込んで地盤９１に固定されている。また、取付物支持ユニット１１は、支柱本体２１を地盤上面９２から上方（図１２（ａ）、（ｂ）において上側）に突出させて地盤９１に固定されている。取付物支持ユニット１１の支柱本体２１後端外周に突設されているフランジ部２２は、地盤上面９２から上方に離隔した位置に配置されている。
【００２０】
図２、図３に示すように、図示例の取付物支持ユニット１１の球座部２３は、筒状（図示例では円筒状）の基端部を有する金属製シャフト状の支柱本体２１に一体に形成されている。
但し、球座部２３としては、例えば後述の第５実施形態（図１３参照）のように、支柱部２０基端部にボルト固定等によって固定された支柱部２０とは別体の部材であっても良い。
この場合、支柱部２０（取付用固定部）としては、例えば後述の第６実施形態（図１４参照）のように、金属拡張アンカー等のコンクリート母材に固定施工可能なあと施工アンカーも採用可能である。金属拡張アンカーである支柱部は、スリーブ状（中空の金属製シャフト状の一例）の支柱本体２１に、コーンあるいは芯棒の打ち込みによって拡張されてコンクリート母材に固定される拡張部を取り付けベースに対する固定手段として有する構成である。金属拡張アンカーである支柱部を有する取付物支持ユニットは、例えば、支柱部の支柱本体をその拡張部を拡張してコンクリート母材に固定した後に、支柱本体後端に球座部を固定し、全体を組み立てて、コンクリート母材に設けられる。
【００２１】
図２、図３に示すように、図示例の取付物支持ユニット１１の球座部２３は、支柱本体２１後端外周に突設されているフランジ部２２の内側全体に形成されている。
また、図２に示すように、この球座部２３は、支柱本体２１後端から支柱本体２１先端側とは反対の側へ突出するドーム状の球座本体２３ｂと、該球座本体２３ｂの頂部から支柱本体２１に向かって突出する雌ねじ筒部２３ｃとを有する。この球座部２３の湾曲受け面２３ａは球座本体２３ｂに形成されている。
【００２２】
また、この球座部２３には、雌ねじ筒部２３ｃ内側及び球座本体２３ｂの頂部を貫通する球座雌ねじ孔２３ｄが形成されている。
図２に示すように、球座雌ねじ孔２３ｄの内周面には雌ねじ部２４（雌ねじ山）が形成されている。
【００２３】
図１（ａ）、（ｂ）〜図３に示すように、取付台座部材３０は、本体板部３１（台座本体）と、この本体板部３１の両側からその片面側に立ち上げられた立上板部３２と、本体板部３１から突出する各立上板部３２の突端の互いに対面する内面側とは反対の側へ張り出された板状の取付物固定部３３とを有する。取付物固定部３３には、取付物を該取付物固定部３３に固定するボルトを通すための固定部ボルト孔３６が形成されている。
また、この取付台座部材３０は、本体板部３１の中央部に形成されたドーム状部３４も有する。図２、図３に示すように、このドーム状部３４は、本体板部３１から、該本体板部３１の立上板部３２が立ち上げられている受け面側（図２上側）へ突出されている。ドーム状部３４は、その受け面側（図２上側）の面が半球状の凸曲面３４ａとされ、内側の面が前記凹曲面３８とされている。
【００２４】
ドーム形ワッシャ４０は、ドーム形に湾曲成形されたリング板状の部材である。
このドーム形ワッシャ４０は、その内側孔４１に通した固定用ボルト５０のねじ軸部５２に外挿して設けられる。このドーム形ワッシャ４０の湾曲の内面側は、取付台座部材３０のドーム状部３４の凸曲面３４ａと面接触する凹曲面となっている。
【００２５】
図２、図３に示すように、前記取付台座部材３０には、固定用ボルト５０のねじ軸部５２を通すためのボルト挿通孔３５が、ドーム状部３４の頂部を貫通して形成されている。
固定用ボルト５０は、取付台座部材３０のボルト挿通孔３５に通したねじ軸部５２を、前記球座部２３の球座雌ねじ孔２３ｄ内側の雌ねじ部２４に螺着して球座部２３に取り付けられている。
【００２６】
この取付物支持ユニット１１は、前記固定用ボルト５０の締め付け操作によって取付台座部材３０を球座部２３に締め付け固定できる。また、この取付物支持ユニット１１は、取付台座部材３０を球座部２３に締め付け固定している固定用ボルト５０を、締め付け操作とは逆向きに回転操作（締め付け解除操作）することで、取付台座部材３０の球座部２３に対する締め付け固定を解除できる。
【００２７】
固定用ボルト５０のねじ軸部５２は、その外周にねじ山が形成された雄ねじ軸である。  なお、固定用ボルト５０のねじ軸部５２を螺着するために球座部２３に形成する雌ねじ孔としては、必ずしも球座部２３を貫通する貫通孔である必要は無く、球座本体２３ｂの頂部から支柱本体２１に向かって形成（穿設）された非貫通孔であっても良い。
【００２８】
図１（ａ）、図２に示すように、取付台座部材３０のボルト挿通孔３５は、その内径が、固定用ボルト５０のねじ軸部５２の外径に比べて径大の丸孔である。
したがって、取付台座部材３０のボルト挿通孔３５内には、固定用ボルト５０による取付台座部材３０の球座部２３に対する締め付け固定が解除されている状態において、固定用ボルト５０のねじ軸部５２のボルト挿通孔３５内での変位、すなわち取付台座部材３０の球座部２３に対する湾曲受け面２３ａに沿うスライド移動を可能にするクリアランスが確保されている。
【００２９】
図２、図３に示すように、ドーム形ワッシャ４０の内側孔４１は固定用ボルト５０のねじ軸部５２外径に比べて僅かに径大の丸孔である。ドーム形ワッシャ４０の内側孔４１内径と固定用ボルト５０のねじ軸部５２外径との差はごく僅かである。ドーム形ワッシャ４０は、その内側孔４１の軸線が、固定用ボルト５０のねじ軸部５２の軸線と一致あるいは殆ど位置ずれしていない状態で、固定用ボルト５０の頭部５１によって取付台座部材３０のドーム状部３４に押し付け固定される。
【００３０】
取付台座部材３０のボルト挿通孔３５は、固定用ボルト５０のねじ軸部５２外径に比べて径大である上、ドーム形ワッシャ４０の内側孔４１に比べても径大に形成されている。
また、取付台座部材３０のボルト挿通孔３５は、その内径と固定用ボルト５０のねじ軸部５２外径との差がドーム形ワッシャ４０外径の半分よりも小さくなるように内径を設定して形成することが好ましい。これにより、取付台座部材３０を球座部２３の湾曲受け面２３ａに沿ってスライド移動させたときに、ボルト挿通孔３５をドーム形ワッシャ４０によって常時覆うことを可能にし、ボルト挿通孔３５の露呈を防ぐことができる。
【００３１】
この取付物支持ユニット１１は、固定用ボルト５０による取付台座部材３０の球座部２３への締め付け固定が行なわれていない状態において、球座部２３に対する取付台座部材３０の湾曲受け面２３ａに沿うスライド移動によって、支柱部２０及び球座部２３に対する向きの調整を簡単に効率良く行える。球座部２３の湾曲受け面２３ａに沿う取付台座部材３０のスライド移動は、具体的には、取付台座部材３０のドーム状部３４の凹曲面３８の、球座部２３の湾曲受け面２３ａに沿うスライド移動である。ここで、球座部２３（受け座部２８Ｕ）は、取付台座部材３０を湾曲受け面２３ａに沿ってスライド移動に支持する。
また、取付台座部材３０は、支柱部２０及び球座部２３に対する向き調整後に固定用ボルト５０の締め付けによって球座部２３に簡単に固定でき、支柱部２０及び球座部２３に対して調整後の向きを保ったまま、取付物固定部３３に取付物を固定する作業を行える。
したがって、この取付物支持ユニット１１は、取付台座部材３０に固定した取付物の支柱部２０に対する角度調整を簡単に効率良く行える。
【００３２】
（第２実施形態）
次に、本発明に係る第２実施形態の取付物支持ユニット１２を図４、図５等を参照して説明する。
なお、図中、第１実施形態の取付物支持ユニット１１と同様の構成部分には共通の符号を付し、その説明を簡略化あるいは省略する。
【００３３】
図４、図５に示すように、この実施形態の取付物支持ユニット１２は、第１実施形態の取付物支持ユニット１１の取付台座部材３０のボルト挿通孔３５を長孔３７（ボルト挿通孔）に変更したものである。前記長孔３７を形成した取付台座部材に図中符号３０Ａを付記する。なお、取付物支持ユニット１２の長孔３７以外の構成は、第１実施形態の取付物支持ユニット１１と同様である。
前記長孔３７は、その長手方向寸法が固定用ボルト５０のねじ軸部５２外径よりも大きく、長手方向に直交する幅方向の寸法が、固定用ボルト５０のねじ軸部５２外径と同等に揃えられている。
【００３４】
この取付物支持ユニット１２は、固定用ボルト５０による取付台座部材３０Ａの球座部２３に対する締め付け固定が解除されている状態において、球座部２３に対する取付台座部材３０Ａの湾曲受け面２３ａに沿うスライド移動は、前記長孔３７の長手方向に沿う方向のみ可能である。この取付物支持ユニット１２は、取付台座部材３０Ａの湾曲受け面２３ａに沿うスライド移動による球座部２３に対する向き調整を特定方向のみ行なう場合に用いることで、向き調整作業を効率良く行える。
【００３５】
図示例の取付台座部材３０Ａのドーム状部３４の長孔３７は、その長手方向を、取付台座部材３０Ａのドーム状部３４を介して両側の取付物固定部３３の間隔方向に一致させて延在形成されている、但し、取付台座部材３０Ａのドーム状部３４の長孔３７の長手方向は、両側の取付物固定部３３の間隔方向に一致させた構成に限定されず、適宜設定可能である。ドーム状部３４の長孔３７は、例えば、取付台座部材３０Ａの両側の取付物固定部３３の間隔方向に直交しかつ本体板部３１に沿う方向を長手方向として延在形成しても良い。
【００３６】
また、この取付物支持ユニット１２は、支柱部２０及び球座部２３に対する向き調整が完了した取付台座部材３０Ａを固定用ボルト５０の締め付けによって球座部２３に固定した後に、取付台座部材３０Ａに長孔３７幅方向への強い変位力が作用した場合であっても、取付台座部材３０Ａの支柱部２０及び球座部２３に対する向きの変動を規制でき、調整後の向きを安定に保つことができる。
この点、この取付物支持ユニット１２は、例えば、支柱部２０が概ね水平あるいは鉛直に対して大きく傾斜した向きで取り付けベースに固定施工して、取付台座部材３０Ａに固定した取付物の支持に好適に利用できる。このとき、この取付物支持ユニット１２は、例えば、本体板部３１が水平方向に沿う向きで取付台座部材３０Ａを固定用ボルト５０の締め付けによって球座部２３に固定して、取付物からの荷重の安定支持に使用可能である。
【００３７】
取り付けベースに固定した複数の取付物支持ユニット１２によって取付物を支持する取付物支持構造にあっては、例えば、各取付物支持ユニット１２の取付台座部材３０Ａを、その長孔３７の長手方向が互いに平行となるように揃えた構成を採用可能である。この取付物支持構造は、例えば、取付物に特定の方向から強い変位力が作用する可能性に対応して、取付物の変位の規制、安定支持を確実に実現することが可能である。
【００３８】
例えば、図１２（ａ）、（ｂ）に例示した取付物支持構造は、架台８２を支持する複数の取付物支持ユニット１１の取付台座部材３０の向き（取付台座部材３０の一対の取付物固定部３３の間隔方向）を、地盤上面９２に平行な同一直線（仮想直線）に沿うように揃えている。この取付物支持構造において、例えば架台８２を支持する各取付物支持ユニット１１の取付台座部材３０を取付台座部材３０Ａに変更（取付物支持ユニット１１を取付物支持ユニット１２に変更）し、各取付物支持ユニットの取付台座部材３０Ａの向きを図１２（ａ）、（ｂ）に例示した取付物支持構造と同様に揃えれば、取付台座部材３０Ａの長孔３７の長手方向を互いに揃えた複数の取付物支持ユニットによって架台８２を支持した取付物支持構造を実現できる。
【００３９】
（第３実施形態）
次に、本発明に係る第３実施形態の取付物支持ユニット１３を図６〜図９を参照して説明する。
なお、図中、第１、２実施形態の取付物支持ユニットと同様の構成部分には共通の符号を付し、その説明を簡略化あるいは省略する。
【００４０】
図６〜図９に示すように、この実施形態の取付物支持ユニット１３は、第１実施形態の取付物支持ユニット１１の支柱部２０に変えて、支柱本体２１後端に該支柱本体２１の軸線に垂直に延在する後端プレート６２を一体化した支柱部６０を採用している。図示例の支柱部６０は、後端プレート６２が支柱本体２１後端外周から外側へ張り出されたフランジ部６２ａを有している。
また、この支柱部６０は、筒状の支柱本体２１後端部の内側空間２１ａに臨む後端プレート６２の内面側に設けられた筒状の雌ねじ形成筒部６４を有している。この雌ねじ形成筒部６４は、その内側孔である雌ねじ孔６３を、後端プレート６２の面方向中央部を貫通する中央孔６５に連通させて後端プレート６２内面側に一体化されている。
【００４１】
また、この実施形態の取付物支持ユニット１３は、球座部７３が形成された頭部７１（受け座部）からねじ軸７２が突出された有頭ボルト状の球座付き螺着部品７０と、この球座付き螺着部品７０のねじ軸７２に螺着されたナット７５とを有する。
前記頭部７１は、工具を係合して球座付き螺着部品７０を回転操作するための工具係合面７１ｂが外周の複数箇所に形成された板状の頭部本体７１ａの片面側に球座部７３が突出された構成になっている。ねじ軸７２は、頭部本体７１ａの球座部７３とは反対側の面の中央部から突出されている。
【００４２】
図示例の頭部本体７１ａは、六角形板状に形成されている。但し、頭部本体７１ａは、工具を係合して球座付き螺着部品７０を回転操作するための工具係合部として機能するものであれば良く、六角形板状に限定されない。頭部本体７１ａとしては、例えば平面視四角形、八角形等の多角形板状のもの、その他、工具係合用の凹部が外周に形成されたもの等も採用可能である。
【００４３】
頭部７１の球座部７３には、第１実施形態の取付物支持ユニット１１の球座部２３の湾曲受け面２３ａと同様の湾曲受け面７３ａが形成されている。
取付物支持ユニット１３は、球座付き螺着部品７０の球座部７３の湾曲受け面７３ａに凹曲面３８を面接触させて設けられた取付台座部材３０と、この取付台座部材３０を球座付き螺着部品７０に締め付け固定するための固定用ボルト５０とを有する。
固定用ボルト５０は、取付台座部材３０のボルト挿通孔３５に通したねじ軸部５２を、球座付き螺着部品７０にその球座部７３の頂部からねじ軸７２に向かって穿設された孔（螺着孔７１ｃ）の内周に形成された雌ねじ部７４に螺着して、球座付き螺着部品７０に取り付けられている。螺着孔７１ｃは、その内周面に雌ねじ部７４が形成された雌ねじ孔である。
また、取付物支持ユニット１３は、固定用ボルト５０のねじ軸部５２に外挿して、固定用ボルト５０の頭部５１と、取付台座部材３０のドーム状部３４との間に介装されたドーム形ワッシャ４０も有している。
【００４４】
前記球座付き螺着部品７０は、ねじ軸７２を雌ねじ形成筒部６４の雌ねじ孔６３にねじ込んで支柱部６０に螺着されている。ねじ軸７２の外周には、雌ねじ孔６３内周に形成された雌ねじ部６３ａに螺合可能な雄ねじ山が螺設されている。
この球座付き螺着部品７０は回転操作によって頭部７１の支柱部６０からの高さ（図８上下方向）を変更可能である。この実施形態の取付物支持ユニット１３は、球座付き螺着部品７０は回転操作によって頭部７１の支柱部６０からの高さを変更することで、頭部７１に固定用ボルト５０によって取り付けられている取付台座部材３０の支柱部６０からの高さを調整できる。
【００４５】
この取付物支持ユニット１３は、第１実施形態の取付物支持ユニット１１と同様に、取付台座部材３０に固定した取付物の支柱部２０に対する角度調整を簡単に効率良く行える上、取付台座部材３０に固定した取付物の支柱部２０及び取り付けベースに対する高さ調整も簡単に効率良く行える。
【００４６】
（第４実施形態）
本発明に係る第４実施形態の取付物支持ユニットは、第３実施形態の取付物支持ユニット１３の取付台座部材３０にかえて、第２実施形態にて説明した取付台座部材３０Ａを採用したものである。
図１０は、この取付物支持ユニット１４を、固定用ボルトを省略して示した平面図、図１１は、取付物支持ユニット１４を、支柱部及び固定用ボルトを省略して示した分解斜視図である。
【００４７】
（第５実施形態）
図１３に示すように、本発明に係る第５実施形態の取付物支持ユニット１５は、第１実施形態の取付物支持ユニット１１について、支柱部２０にかえて、支柱本体２１後端部に固定用ボルト５０のねじ軸部５２をねじ込んで螺着するための雌ねじ形成筒部２７ｂを有する支柱部２７を採用している。
支柱部２７は、第３実施形態の取付物支持ユニット１３の支柱部６０について、雌ねじ形成筒部６４にかえて、上述の雌ねじ形成筒部２７ｂを設けた構成となっている。図示例の支柱部２７の雌ねじ形成筒部２７ｂは、支柱本体２１の軸線に垂直に延在する後端プレート６２の面方向中央部に、支柱本体２１の軸線に平行な軸線を以て延在するスリーブ状に形成されている。図示例の雌ねじ形成筒部２７ｂは、後端プレート６２からその支柱本体２１後端部の内側空間２１ａに臨む内面側に突出している。また、図示例の雌ねじ形成筒部２７ｂは、その内側を貫通する雌ねじ孔２７ａが、支柱本体２１の軸線と同軸に形成された構成となっている。雌ねじ孔２７ａ内周には該雌ねじ孔２７ａにねじ込んだ固定用ボルト５０のねじ軸部５２が螺合される雌ねじ部２７ｃが形成されている。
【００４８】
また、この実施形態の取付物支持ユニット１５は、支柱部２７とは別体の受け座部材２８（受け座部）を有し、球座部２３は受け座部材２８にその一部として形成されている。受け座部材２８は、球座部２３と、該球座部２３のドーム状の球座本体２３ｂの頂部とは反対の基部外周からその全周にわたってフランジ状に張り出された取付用板部２８ａとを有する。取付用板部２８ａはリング板状に形成されている。受け座部材２８は、換言すれば、リング板状の取付用板部２８ａの内側孔を覆う球座部２３の球座本体２３ｂが、取付用板部２８ａの内周部から該取付用板部２８ａの片面側に突出する構成となっている。
【００４９】
図１３に例示した受け座部材２８は、支柱部２７の支柱本体２１後端外周に張り出すフランジ部６２ａに重ね合わせた取付用板部２８ａを、例えば固定手段としてボルト−ナット２８ｂを用いてフランジ部６２ａに締結固定している。受け座部材２８の取付用板部２８ａ及び支柱部２７のフランジ部６２ａには、ボルト−ナット２８ｂのボルト２８ｃを通すためのボルト孔２７ｄ、２８ｅがそれぞれ形成されている。ボルト−ナット２８ｂは、受け座部材２８の取付用板部２８ａのボルト孔２８ｅと支柱部２７のフランジ部６２ａのボルト孔２７ｄとに通したボルト２８ｃに螺着したナット２８ｄの締め付けによって、受け座部材２８の取付用板部２８ａを支柱部２７のフランジ部６２ａに締め付け固定している。
なお、受け座部材２８の取付用板部２８ａを支柱部２７のフランジ部６２ａに固定するための固定手段としてはボルト−ナット２８ｂに限定されず、例えば溶接等も採用可能である。
【００５０】
この取付物支持ユニット１５は、球座部２３の湾曲受け面２３ａにドーム状部３４の凹曲面３８を面接触させて設けられた取付台座部材３０と、固定用ボルト５０と、ドーム形ワッシャ４０とを有することは第１実施形態の取付物支持ユニット１１と同様である。
但し、受け座部材２８の球座部２３は、雌ねじ筒部２３ｃにかえて、内周面にねじ山が形成されていない貫通孔である球座貫通孔２３ｅが貫通するボルト挿通筒部２３ｆを有する構成となっている。この球座部２３に図１３中符号２３Ａを付記する。ボルト挿通筒部２３ｆは、第１実施形態の取付物支持ユニット１１の球座部２３の雌ねじ筒部２３ｃとの対比で、球座雌ねじ孔２３ｄを球座貫通孔２３ｅに変更した点のみが異なる。ボルト挿通筒部２３ｆの球座貫通孔２３ｅは、支柱部２７の雌ねじ形成筒部２７ｂの雌ねじ孔２７ａと同軸上に設けられている。
【００５１】
固定用ボルト５０は、取付台座部材３０のドーム状部３４のボルト挿通孔３５及び球座部２３の球座貫通孔２３ｅに通したねじ軸部５２のボルト挿通筒部２３ｆからドーム状部３４とは反対の側へ突出させた部分を、支柱部２７の雌ねじ孔２７ａにねじ込んで雌ねじ形成筒部２７ｂに螺着している。
ドーム形ワッシャ４０は、第１実施形態の取付物支持ユニット１１と同様に、固定用ボルト５０のねじ軸部５２に外挿して該固定用ボルト５０の頭部５１と取付台座部材３０のドーム状部３４との間に介装されている。
【００５２】
なお、球座部２３Ａとしては、必ずしもボルト挿通筒部２３ｆを有する構成に限定されない。球座部２３Ａとしては、ボルト挿通筒部２３ｆが存在せず、球座本体２３ｂの頂部に貫通形成された貫通孔自体を球座貫通孔２３ｅとした構成も採用可能である。
【００５３】
取付用固定部（第５実施形態では支柱部）とは別体の受け座部を用いる構成は、本発明に係る実施形態の取付物支持ユニットに広く適用可能である。
取付用固定部とは別体の受け座部の球座部としては、例えば、第１実施形態に例示した球座部２３のように雌ねじ筒部２３ｃを有する構成のものも採用可能である。
また、本発明に係る実施形態の取付物支持ユニットの球座部としては、雌ねじ筒部２３ｃが無く、球座本体２３ｂの頂部に、球座本体２３ｂをその湾曲受け面２３ａの半径方向の中心軸線を以て貫通する球座雌ねじ孔２３ｄが形成された構成も採用可能である。
球座雌ねじ孔２３ｄが形成された球座部２３を有する取付物支持ユニットは、球座雌ねじ孔２３ｄにねじ軸部５２をねじ込んで球座部に螺着した固定用ボルト５０の頭部５１によって、ねじ軸部５２に外挿された取付台座部材３０及びドーム形ワッシャ４０を球座本体２３ｂに押さえ込むことができる。
【００５４】
（第６実施形態）
図１４に示すように、本発明に係る第６実施形態の取付物支持ユニット１６は、第３実施形態の取付物支持ユニット１３について、支柱部２０（取付用固定部）として、コンクリート母材Ｃ（取り付けベース）に固定施工可能なあと施工アンカー２１０を用いたものである。
コンクリート母材Ｃとしては、例えばビル、橋梁、擁壁等のコンクリート構造物を採用できる。図１４は、例えばコンクリートスラブ等の平坦な上面Ｃ２を有するコンクリート母材Ｃに取付物支持ユニット１６を固定施工した状態を示す。
【００５５】
図示例のあと施工アンカー２１０は金属拡張アンカーである。また、図示例のあと施工アンカー２１０は、より具体的にはいわゆる本体打ち込み式アンカーである。このあと施工アンカー２１０（本体打ち込み式アンカー）は、金属製スリーブ状のアンカー本体２１１（支柱本体２１）を有する。このアンカー本体２１１は、その長手方向一端部（先端部）が周方向に複数に分割された拡張部２１２を有する。そして、図１４において、あと施工アンカー２１０は、アンカー本体２１１の拡張部２１２を、コンクリート母材Ｃに穿設された下穴Ｃ１に予め挿入しておいたコーン２１３に打ち込んで拡張し、下穴Ｃ１内壁に食い込ませて固着している。
【００５６】
図１４に例示した取付物支持ユニット１６は、あと施工アンカー２１０のアンカー本体２１１の先端部とは反対の基端部（後端部）内周に形成された雌ねじ部２１４に、球座付き螺着部品７０のねじ軸７２を螺着した構成になっている。また、取付物支持ユニット１６は、球座付き螺着部品７０の頭部７１とあと施工アンカー２１０のアンカー本体２１１との間に、球座付き螺着部品７０のねじ軸７２に螺着したナット７５を有している。球座付き螺着部品７０は、ナット７５をアンカー本体２１１に対して締め付けることでアンカー本体２１１に対して固定できる。また、球座付き螺着部品７０は、アンカー本体２１１に対するねじ軸７２の螺着長（ねじ込み長）の調整によって、頭部７１のアンカー本体２１１からの離隔距離を調整できる。
【００５７】
なお、図示例の取付物支持ユニット１６は、あと施工アンカー２１０のアンカー本体２１１後端がコンクリート母材上面Ｃ２に面一に位置する。
また、この取付物支持ユニット１６は、ねじ軸７２に外挿されて、あと施工アンカー２１０のアンカー本体２１１後端とナット７５との間に介装されたワッシャ７６とばねワッシャ７７とを有している。
【００５８】
あと施工アンカー２１０としては、本体打ち込み式アンカーに限定されず、例えば、いわゆる内部コーン打ち込み式アンカー等、スリーブ状のアンカー本体の拡張部が形成された先端部とは反対の後端部内周に雌ねじ部が刻設された金属拡張アンカー（以下、後端雌ねじ部付きアンカーともいう）を採用可能である。
【００５９】
本発明に係る実施形態の取付物支持ユニットの取付用固定部として利用可能なあと施工アンカー２１０としては、後端雌ねじ部付きアンカーに限定されない。あと施工アンカー２１０としては、コンクリート母材に形成された下穴に挿入して固定施工したときに、下穴内に配置された部分（埋め込み部）からコンクリート母材外側に突出される雄ねじ部２２４（雄ねじ軸部。一例として図１５参照）を有する構成のものも採用可能である。このあと施工アンカーを、以下、後部雄ねじアンカーとも言う。
【００６０】
後部雄ねじアンカーとしては、例えば芯棒打ち込み式アンカーのように、スリーブ状のアンカー本体の拡張部が形成された先端部とは反対の後端部外周に雄ねじ部を有する金属拡張アンカーを採用できる。また、後部雄ねじアンカーとしては、コーン引き上げ式（テーパボルト式）アンカーや、ウェッジ式アンカー等のように、スリーブ状部材に内挿されたボルト（以下、内挿ボルトともいう）の先端部に、スリーブ状部材にその先端側から打ち込まれてスリーブ状部材を拡張させるコーンを有し、内挿ボルトのスリーブ状部材後端から突出された後端側の雄ねじ部に締め付け用ナットが螺着された構成の金属拡張アンカーも採用可能である。
また、後部雄ねじアンカーとしては、接着系アンカー、ねじ込み式アンカーのように、コンクリート母材の下穴に挿入して固定施工したときに、棒状のアンカー本体の下穴内に配置される埋め込み部の後側の雄ねじ部が、コンクリート母材外側に突出される構成のものも採用可能である。
【００６１】
（第７実施形態）
図１５に例示した第７実施形態の取付物支持ユニット１７は、後部雄ねじアンカー２２０として芯棒打ち込み式アンカーを用いた取付物支持ユニットの一例である。図１５は、第７実施形態の取付物支持ユニット１７を、平坦な上面Ｃ２を有するコンクリート母材Ｃに固定施工した状態を示す。
この実施形態の取付物支持ユニット１７は、後部雄ねじアンカー２２０と、後部雄ねじアンカー２２０のスリーブ状のアンカー本体２２１の後端部の雄ねじ部２２４に螺着されるリング状螺着部材２３０と、このリング状螺着部材２３０のねじ筒部２３１外周に螺着される連結用螺着筒部材２４０とで構成された取付用固定部１７１を有する。
【００６２】
図１５において後部雄ねじアンカー２２０はコンクリート母材Ｃに固定施工されている。後部雄ねじアンカー２２０は、アンカー本体２２１後端部の雄ねじ部２２４から先端側である埋め込み部をコンクリート母材Ｃの下穴Ｃ１に挿入して固定施工されている。アンカー本体２２１後端部の雄ねじ部２２４は、コンクリート母材Ｃ表面（図示例では上面Ｃ２）に開口する下穴Ｃ１の開口部からコンクリート母材Ｃ外側に突出されている。コンクリート母材Ｃ外側に突出されている雄ねじ部２２４を、以下、突出雄ねじ部２２５とも言う。図１５に例示した後部雄ねじアンカー２２０は雄ねじ部２２４全体がコンクリート母材Ｃ外側に突出されており、雄ねじ部２２４全体が突出雄ねじ部２２５となっている。
図１５に例示した後部雄ねじアンカー２２０は芯棒打ち込み式アンカーであり、スリーブ状のアンカー本体２２１に内挿された芯棒２２３のアンカー本体２２１後側からの打ち込みによってアンカー本体２２１先端部の拡張部２２２が拡張され、この拡張部２２２を下穴Ｃ１内壁に食い込ませてコンクリート母材Ｃに固着している。
【００６３】
リング状螺着部材２３０は、リング板状のプレート部２３２の内周部から該プレート部２３２片面側にスリーブ状のねじ筒部２３１が突設された構成になっている。リング状螺着部材２３０には、ねじ筒部２３１の内側孔と、リング板状のプレート部２３２の内側孔とが互いに同軸に連通してなる螺着部材貫通雌ねじ孔２３３が貫通されている。
リング状螺着部材２３０は、螺着部材貫通雌ねじ孔２３３内周に形成された雌ねじ部２３４（螺着部材雌ねじ部）を後部雄ねじアンカー２２０の突出雄ねじ部２２５に螺合して、後部雄ねじアンカー２２０に取り付けられている。
【００６４】
後部雄ねじアンカー２２０として用いた芯棒打ち込み式アンカーは、その埋め込み部をコンクリート母材Ｃの下穴Ｃ１に挿入し、突出雄ねじ部２２５に螺着したリング状螺着部材２３０のプレート部２３２をコンクリート母材Ｃ表面（図示例では上面Ｃ２）に押し当てた状態で、アンカー本体２２１に内挿された芯棒２２３をアンカー本体２２１後側からアンカー本体２２１先端部の拡張部２２２に打ち込み、拡張部２２２を拡張させることでコンクリート母材Ｃに固着される。後部雄ねじアンカー２２０がコンクリート母材Ｃに固着されることで、リング状螺着部材２３０がコンクリート母材Ｃに対して固定される。
取付物支持ユニット１７の取付用固定部１７１は、後部雄ねじアンカー２２０の突出雄ねじ部２２５に螺着してコンクリート母材Ｃに対して固定されたリング状螺着部材２３０のねじ筒部２３１外周に連結用螺着筒部材２４０を螺着した構成となっている。
【００６５】
連結用螺着筒部材２４０は、その軸線方向寸法がリング状螺着部材２３０のねじ筒部２３１の軸線方向寸法（ねじ筒部２３１のプレート部２３２からの突出寸法）に比べて格段に大きい筒状の部材である。
図１５に例示した取付物支持ユニット１７は、連結用螺着筒部材２４０の円筒状の筒状本体２４３の軸線方向一端部内周の第１雌ねじ部２４１をリング状螺着部材２３０のねじ筒部２３１外周に形成された雄ねじ部２３５に螺合して、連結用螺着筒部材２４０をリング状螺着部材２３０に螺着している。図１５において、連結用螺着筒部材２４０は、リング状螺着部材２３０のプレート部２３２上に、螺着部材貫通雌ねじ孔２３３と平行な軸線を以て、コンクリート母材Ｃの上面Ｃ２に垂直に立設されている。
【００６６】
この実施形態の取付物支持ユニット１７は、第３実施形態の取付物支持ユニット１３について、取付用固定部として図１５に例示した取付用固定部１７１を用いている。
連結用螺着筒部材２４０は、筒状本体２４３の軸線方向他端部内側に固定された雌ねじ形成筒部２４４（雌ねじ形成筒部材）を有し、この雌ねじ形成筒部２４４を筒状本体２４３軸線に平行（図示例では筒状本体２４３軸線と一致）な軸線を以て貫通する雌ねじ孔２４５を有している。この雌ねじ孔２４５の内周には、球座付き螺着部品７０のねじ軸７２と螺合して連結用螺着筒部材２４０に螺着するための第２雌ねじ部２４２が形成されている。
図示例の連結用螺着筒部材２４０は、雌ねじ形成筒部２４４における、雌ねじ形成筒部２４４と連結用螺着筒部材２４０の筒状本体２４３とによって取り囲まれた内側空間に臨む面に固定されたナット２４７をさらに有する。球座付き螺着部品７０のねじ軸７２は、雌ねじ形成筒部２４４の雌ねじ孔２４５を介してナット２４７にもねじ込むことができる。
【００６７】
図１５に例示した取付物支持ユニット１７は、連結用螺着筒部材２４０の第２雌ねじ部２４２にねじ軸７２を螺合して連結用螺着筒部材２４０に螺着した球座付き螺着部品７０の頭部７１を連結用螺着筒部材２４０上に配置している。連結用螺着筒部材２４０は、球座付き螺着部品７０を支持する支柱部として機能する。
【００６８】
また、この実施形態の取付物支持ユニット１７は、リング状螺着部材２３０のプレート部２３２上に立設された連結用螺着筒部材２４０に外挿した概略テーパ筒状の防水ベース部材２５０と、連結用螺着筒部材２４０の上端部及び防水ベース部材２５０の円筒部材２５１（後述）を覆うカバー部材２６０とを有する。
防水ベース部材２５０は、リング状螺着部材２３０の筒状本体２４３に外挿された円筒部材２５１と、この円筒部材２５１の軸線方向一端部に一体化され、円筒部材２５１の軸線方向一端部から円筒部材２５１の軸線方向他端部側へ末広がりに拡がるテーパ筒状の防水ベース本体２５２とを有する。
【００６９】
図１５では、コンクリート母材Ｃ上にその上面Ｃ２を覆う断熱材層Ｄが形成されている。断熱材層Ｄには、該断熱材層Ｄをコンクリート母材Ｃ上面Ｃ２に垂直の方向に貫通する穴Ｄ１（以下、施工穴）が形成されており、図１５に例示した取付物支持ユニット１７の後部雄ねじアンカー２２０は、コンクリート母材Ｃの、断熱材層Ｄの施工穴Ｄ１の穴底に露呈する箇所に開口させて形成した下穴Ｃ１に挿入して、コンクリート母材Ｃに固定施工されている。コンクリート母材Ｃに固定施工した後部雄ねじアンカー２２０の突出雄ねじ部２２５に螺着されているリング状螺着部材２３０は、そのプレート部２３２を、断熱材層Ｄの施工穴Ｄ１内に露呈するコンクリート母材上面Ｃ２に当接させている。また、この取付物支持ユニット１７は、リング状螺着部材２３０のプレート部２３２上に立設した連結用螺着筒部材２４０を断熱材層Ｄの施工穴Ｄ１から断熱材層Ｄ上に突出させている。
連結用螺着筒部材２４０に外挿された防水ベース部材２５０は、防水ベース本体２５２の円筒部材２５１側とは反対の端部（以下、拡張側端部２５３）を、施工穴Ｄ１の周囲の断熱材層Ｄの上面Ｄ２に当接させ、円筒部材２５１の防水ベース本体２５２とは反対側の端部を上端部とする向きで設けられている。
【００７０】
また、防水ベース部材２５０は、その上端部（円筒部材２５１の上端部）内周に取り付けられたＯリング２５４を有する。このＯリング２５４は、防水ベース部材２５０と連結用螺着筒部材２４０との間を水密に塞いで、該Ｏリング２５４の上方から下方への浸水を防ぐ。
【００７１】
カバー部材２６０は、連結用螺着筒部材２４０上に設けられた天板部２６１の外周から、該天板部２６１の連結用螺着筒部材２４０に当接された下面側に筒状側板部２６２が延出されたカップ状に形成されている。球座付き螺着部品７０のねじ軸７２は、カバー部材２６０の天板部２６１中央部を貫通する天板部貫通孔２６３に通して、連結用螺着筒部材２４０の雌ねじ孔２４５にねじ込まれている。カバー部材２６０は、その天板部２６１が、連結用螺着筒部材２４０にねじ軸７２を螺着した球座付き螺着部品７０の頭部本体７１ａと連結用螺着筒部材２４０との間に締め付け固定されて、連結用螺着筒部材２４０に対して固定して取り付けられる。
カバー部材２６０は、その内側に配置された、連結用螺着筒部材２４０上端部及び防水ベース部材２５０上端部を覆って、防水ベース部材２５０と連結用螺着筒部材２４０との間の浸水を防ぐ機能を果たす。
【００７２】
図１５において、防水ベース部材２５０外周には、断熱材層Ｄ上に形成された防水層Ｎが、断熱材層Ｄ上から連続して延在形成されている。防水層Ｎは、防水ベース部材２５０に延在させた部分の端部がカバー部材２６０内側に位置するように形成する。これにより、防水層Ｎと防水ベース部材２５０との間への浸水をカバー部材２６０によって防ぐことができる。
【００７３】
また、連結用螺着筒部材２４０は、雌ねじ形成筒部２４４に雌ねじ孔２４５内周に沿って取り付けられたＯリング２４６を有している。このＯリング２４６は、雌ねじ孔２４５内周と該雌ねじ孔２４５にねじ込まれた球座付き螺着部品７０のねじ軸７２との水密に塞いで、該Ｏリング２４６上方から下方への浸水を防ぐ。
【００７４】
なお、この実施形態の取付物支持ユニット１７の施工形態は、図１５に例示したように、コンクリート母材Ｃの、断熱材層Ｄの施工穴Ｄ１穴底に露呈する箇所に固定施工した後部雄ねじアンカー２２０の突出雄ねじ部２２５に螺着したリング状螺着部材２３０のプレート部２３２上に連結用螺着筒部材２４０を立設し、この連結用螺着筒部材２４０に外挿した防水ベース部材２５０の拡張側端部２５３を断熱材層Ｄ上に載置することに限定されない。この取付物支持ユニット１７は、例えば、断熱材層Ｄ等の表面層が設けられておらず上面全体が露出しているコンクリート母材や、上面全体を覆う防水層のみが形成されているコンクリート母材にも施工可能である。
【００７５】
前者の表面層が設けられていないコンクリート母材への取付物支持ユニット１７の施工は、コンクリート母材Ｃに固定施工した後部雄ねじアンカー２２０の突出雄ねじ部２２５に螺着したリング状螺着部材２３０のプレート部２３２上に連結用螺着筒部材２４０を立設し、この連結用螺着筒部材２４０に外挿した防水ベース部材２５０の拡張側端部２５３をコンクリート母材上面Ｃ２に当接する。そして、例えば、コンクリート母材上面Ｃ２上に施工する防水層を防水ベース部材２５０外周にわたって連続して延在形成する。
上面全体を覆う防水層のみが形成されているコンクリート母材への取付物支持ユニット１７の施工は、防水層に該防水層を部分的に除去した施工穴を形成し、この施工穴に露呈させたコンクリート母材に固定施工した後部雄ねじアンカー２２０の突出雄ねじ部２２５に螺着したリング状螺着部材２３０のプレート部２３２上に連結用螺着筒部材２４０を立設する。次いで、この連結用螺着筒部材２４０に外挿した防水ベース部材２５０の拡張側端部２５３を施工穴の周囲の防水層上に載置し、防水層上から防水ベース部材２５０外周にわたって延在する新規防水層を形成する。
【００７６】
なお、この実施形態の取付物支持ユニット１７は、リング状螺着部材２３０と、このリング状螺着部材２３０のねじ筒部２３１外周に螺着して立設する連結用螺着筒部材２４０とを有する構成を例示したが、本発明に係る実施形態の取付物支持ユニットとしては、リング状螺着部材２３０と連結用螺着筒部材２４０とが一体になった部材（連結用螺着部材）を用いた構成も採用可能である。
この実施形態の取付物支持ユニット１７の取付台座部材３０は、第３実施形態にて例示した丸孔のボルト孔３６が形成された取付台座部材３０に限定されず、第２実施形態にて例示した長孔３７が形成された取付台座部材３０Ａも採用可能である。このことは本発明に係る他の実施形態の取付物支持ユニットについても共通する。すなわち、本発明に係る実施形態の取付物支持ユニットは、第１実施形態にて例示した丸孔のボルト孔３６が形成された取付台座部材３０、第２実施形態にて例示した長孔３７が形成された取付台座部材３０Ａのいずれも採用可能である。
【００７７】
（第８実施形態）
図１６に示すように、本発明に係る第８実施形態の取付物支持ユニット１８は、第５実施形態の取付物支持ユニット１５から支柱部２７を省略したものであり、受け座部材２８と、取付台座部材３０と、ドーム形ワッシャ４０と、固定用ボルト５０とを具備して構成されている。
図示例の取付物支持ユニット１８の受け座部材２８は、第５実施形態の取付物支持ユニット１５の受け座部材２８からボルト挿通筒部２３ｆを省略し、球座部２３の球座本体２３ｂの内面側にナット２８ｆを固定した構成になっている。このナット２８ｆには、球座本体２３ｂ頂部を貫通する球座貫通孔２３ｅに通した固定用ボルト５０のねじ軸部５２をねじ込んで螺着できる。固定用ボルト５０のねじ軸部５２は、ナット２８ｆを貫通する内側孔内周に形成された雌ねじ部２８ｇ（内ねじ部）に螺合してナット２８ｆに螺着される。ナット２８ｆの内側孔は、固定用ボルト５０のねじ軸部５２をねじ込んで螺着するための雌ねじ孔となっている。ナット２８ｆは、例えば溶接によって球座本体２３ｂ内面に固定されている。また、ナット２８ｆは、その内側孔を球座本体２３ｂ頂部の球座貫通孔２３ｅと同軸上として配置して球座本体２３ｂに固定されている。
この受け座部材（受け座部）に、図１６中符号２８Ａを付記する。
なお、受け座部材２８Ａの球座部２３としては、第１又は第２実施形態に例示した取付物支持ユニットの球座部２３と同様に、球座雌ねじ孔２３ｄが形成された構成の雌ねじ筒部２３ｃも採用可能である。
【００７８】
図１６に示すように、この取付物支持ユニット１８は、受け座部材２８Ａをあと施工アンカー２１０を用いてコンクリート母材Ｃに固定して、コンクリート母材Ｃに取り付けることができる。
図１６において、あと施工アンカー２１０は本体打ち込み式アンカーを例示している。図１６において、本体打ち込み式アンカーのアンカー本体２１１は、コンクリート母材Ｃの下穴Ｃ１に挿入されている。本体打ち込み式アンカーは、下穴Ｃ１の穴底に配置されたコーン２１３に打ち込まれて拡張され下穴Ｃ１内壁に固着されたアンカー本体２１１先端部の拡張部２１２によってコンクリート母材Ｃに固定されている。本体打ち込み式アンカーのアンカー本体２１１後端は、コンクリート母材上面Ｃ２に面一に位置している。
受け座部材２８Ａは、その取付用板部２８ａを貫通するボルト孔２８ｅに通したボルト２９によって、アンカー２１０のアンカー本体２１１及びコンクリート母材Ｃに押し付け固定されている。ボルト２９は、受け座部材２８Ａのボルト孔２８ｅに通したねじ軸部２９ａをアンカー本体２１１後端部内周の雌ねじ部２１４にねじ込んであと施工アンカー２１０に螺着されている。そして、ボルト２９は、受け座部材２８Ａの取付用板部２８ａを介してコンクリート母材Ｃとは反対の側に配置された頭部２９ｂによって取付用板部２８ａをコンクリート母材Ｃに押し付け固定している。
【００７９】
なお、図示例のボルト２９の頭部２９ｂと受け座部材２８Ａの取付用板部２８ａとの間には、ボルト２９の軸部２９ａに外挿したワッシャ２９ｃとばねワッシャ２９ｄとが介装されている。受け座部材２８Ａの取付用板部２８ａは、ワッシャ２９ｃとばねワッシャ２９ｄとを介して、ボルト２９の頭部２９ｂによってコンクリート母材Ｃに押し付け固定されている。
【００８０】
以上、本発明を最良の形態に基づいて説明してきたが、本発明は上述の最良の形態に限定されるものではなく、本発明の要旨を逸脱しない範囲で種々の改変が可能である。
上述の実施形態では、球座付き螺着部品７０のねじ軸７２として、その外周にねじ山が形成された雄ねじ軸を例示したが、本発明に係る実施形態の球座付き螺着部品のねじ軸としては、例えば図１７に示すように、筒状の雌ねじ軸７８も採用可能である。
図１７に例示した球座付き螺着部品、すなわち、頭部７１（受け座部）からねじ軸として筒状の雌ねじ軸７８が突出された構成の球座付き螺着部品に、図中７０Ａを付記する。
雌ねじ軸７８は、球座付き螺着部品７０Ａの頭部７１から突出する突筒状に形成されており、その内周に雌ねじ部７９が形成された構成のものである。
【００８１】
図１７に例示した取付物支持ユニット１９は、第３実施形態の取付物支持ユニット１３について、支柱部６０を省略し、球座付き螺着部品７０を図１７に例示した球座付き螺着部品７０Ａに変更した構成となっている。この取付物支持ユニット１９は、球座付き螺着部品７０Ａの雌ねじ軸７８を、例えばコンクリート母材Ｃ（取り付けベース）に突設されたボルト９３（雄ねじ軸）外周に螺着することで、コンクリート母材Ｃに取り付けることができる。
【００８２】
図１７では、ボルト９３に雌ねじ軸７８を螺着して取り付けた球座付き螺着部品７０Ａを、ボルト９３に螺着して球座付き螺着部品７０Ａとコンクリート母材Ｃとの間に配置したナット９４の雌ねじ軸７８に対する締め付け固定によって、ボルト９３及びコンクリート母材Ｃに対して固定する固定構造を例示している。図１７の固定構造では、球座付き螺着部品７０Ａの雌ねじ軸７８のボルト９３に対する螺着長（換言すればボルト９３の雌ねじ軸７８に対する挿入長）を調整してナット９４を締め付け固定することで、球座付き螺着部品７０Ａをコンクリート母材Ｃから所望の距離の位置に固定できる。
【００８３】
なお、球座付き螺着部品７０Ａのボルト９３に対する固定は、例えば、雌ねじ軸７８を螺着したボルト９３先端に頭部７１を突き当てた状態、あるいは、ボルト９３に螺着した雌ねじ軸７８の突端（頭部７１とは反対側の端）をコンクリート母材Ｃに当接した状態で、球座付き螺着部品７０Ａをボルト９３に対して締め付け固定して実現しても良い。
また、本発明に係る取付物支持ユニットとしては、図１７に例示した取付物支持ユニット１９に、球座付き螺着部品７０Ａの雌ねじ軸７８を螺着可能なボルトが突設された取付用固定部を追加した構成も採用可能である。この取付用固定部としては、例えば、既述の支柱部２０に、その後端から支柱部２０先端とは反対方向に突出するボルトを突設したものや、後部雄ねじアンカー２２０（図１５）のように突出雄ねじ部を有するあと施工アンカー等を採用できる。支柱部後端に突設したボルト、及びあと施工アンカーの突出雄ねじ部は、球座付き螺着部品７０Ａの雌ねじ軸７８を螺着可能なものを用いる。
【符号の説明】
【００８４】
１１、１２、１３、１４、１５、１６、１７、１８、１９…取付物支持ユニット、２０…支柱部、２１…取付用固定部（支柱本体）、２２…フランジ部、２３、２３Ａ…球座部、受け座部、２３ａ…湾曲受け面、２３ｂ…球座本体、２３ｃ…雌ねじ筒部、２３ｄ…球座雌ねじ孔、２３ｅ…球座貫通孔、２４…雌ねじ部、２５…羽根、２６…スクリュー形定着部、２７…取付用固定部（支柱部）、２７ａ…雌ねじ孔、２７ｂ…雌ねじ形成筒部、２７ｃ…雌ねじ部、２７ｄ…ボルト孔、２８、２８Ａ…受け座部（受け座部材）、２８ａ…取付用板部、２８ｂ…ボルト−ナット、２８ｃ…ボルト、２８ｄ…ナット、２８ｅ…ボルト孔、２８ｆ…ナット、２８ｇ…雌ねじ部、２８Ｕ…受け座部、２９…ボルト、２９ａ…ねじ軸部、２９…頭部、２９ｃ…ワッシャ、２９ｄ…ばねワッシャ、
３０、３０Ａ…取付台座部材、３１…台座本体（本体板部）、３２…立上板部、３３…取付物固定部、３４…ドーム状部、３４ａ…凸曲面、３５…ボルト挿通孔、３６…ボルト孔、３７…ボルト挿通孔（長孔）、３８…凹曲面、４０…ドーム形ワッシャ、５０…固定用ボルト、５１…頭部、５２…ねじ軸部、
６０…支柱部、６２…後端プレート部、６２ａ…フランジ部、６３…雌ねじ孔、６３ａ…雌ねじ部、６４…雌ねじ形成筒部、６５…中央孔、
７０、７０Ａ…球座付き螺着部品、７１…受け座部（頭部）、７１ａ…頭部本体、７１ｂ…工具係合面、７１ｃ…螺着孔（雌ねじ孔）、７２…ねじ軸（雄ねじ軸）、７３…球座部、７３ａ…湾曲受け面、７４…雌ねじ部、７５…ナット、７６…ワッシャ、７７…ばねワッシャ、７８…ねじ軸（雌ねじ軸）、７９…雌ねじ部、
８１…取付物、８２…取付物（架台）、９１…取り付けベース（地盤）、９２…地盤上面、９３…ボルト、９４…ナット、１７１…取付用固定部、２１０…取付用固定部（あと施工アンカー）、２２０…取付用固定部（あと施工アンカー、後部雄ねじアンカー）、Ｔ…取り付けベース、Ｃ…取り付けベース（コンクリート母材）、Ｃ１…下穴、Ｃ２…（コンクリート母材）の上面、Ｄ…断熱材層、Ｄ１…施工穴、Ｄ２…上面。
【図１】
2013174089.tif 000003
【図２】
2013174089.tif 000004
【図３】
2013174089.tif 000005
【図４】
2013174089.tif 000006
【図５】
2013174089.tif 000007
【図６】
2013174089.tif 000008
【図７】
2013174089.tif 000009
【図８】
2013174089.tif 000010
【図９】
2013174089.tif 000011
【図１０】
2013174089.tif 000012
【図１１】
2013174089.tif 000013
【図１２】
2013174089.tif 000014
【図１３】
2013174089.tif 000015
【図１４】
2013174089.tif 000016
【図１５】
2013174089.tif 000017
【図１６】
2013174089.tif 000018
【図１７】
2013174089.tif 000019
【図１８】
2013174089.tif 000020
【手続補正書】
【提出日】平成24年3月19日(2012.3.19)
【手続補正１】
【補正対象書類名】明細書
【補正対象項目名】００１２
【補正方法】変更
【補正の内容】
【００１２】
本発明によれば、取付物支持ユニットの取付台座部材は、受け座部の球座部に固定されていない状態において、球座部の湾曲受け面に沿ってスライド移動させて、受け座部に対する向きを簡単に調整できる。また、取付台座部材は、受け座部に対する向き調整後に固定用ボルトの締め付けによって受け座部の球座部に簡単に固定できる。
本発明によれば、取付物支持ユニットの取付台座部材の受け座部に対する向き調整によって、取付物の角度調整作業を簡単に効率良く行える。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
半球状の湾曲受け面を形成する球座部を具備する受け座部と、
この受け座部の前記球座部の前記湾曲受け面に面接触する凹曲面が形成された台座本体から取付物が固定される取付物固定部が張り出された取付台座部材と、
前記取付台座部材の前記台座本体に形成されたドーム状部の凸曲面に面接触する凹曲面を有するドーム形ワッシャと、
前記取付台座部材の前記台座本体を貫通するボルト挿通孔と前記ドーム形ワッシャの前記ドーム状部を貫通する貫通孔とに通したねじ軸部を前記受け座部に前記球座部の頂部から穿設された孔の内側の雌ねじ部に螺着して設けられ、前記取付台座部材を前記球座部に締め付け固定する固定用ボルトとを有し、
前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されており、
前記ドーム形ワッシャは、前記固定用ボルトの頭部によって取付台座部材の前記ドーム状部に押し付け固定されることを特徴とする取付物支持ユニット。
【請求項２】
半球状の湾曲受け面を形成する球座部を具備する受け座部と、
この受け座部の前記球座部の前記湾曲受け面に面接触する凹曲面が形成された台座本体から取付物が固定される取付物固定部が張り出された取付台座部材と、
この取付台座部材の前記台座本体を貫通するボルト挿通孔に通したねじ軸部を前記受け座部に前記球座部の頂部から穿設された孔の内側の雌ねじ部に螺着して設けられ、前記取付台座部材を前記球座部に締め付け固定する固定用ボルトと、
取り付けベースに固定される取付用固定部と、
前記受け座部及び該受け座部から突出されたねじ軸を具備する球座付き螺着部品とを有し、
前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されており、
前記球座付き螺着部品の前記ねじ軸が前記取付用固定部に設けられた雌ねじ部に螺着されていることを特徴とする取付物支持ユニット。
【請求項３】
取り付けベースに固定される取付用固定部と、
この取付用固定部に設けられ、半球状の湾曲受け面を形成する球座部を具備する受け座部と、
この受け座部の前記球座部の前記湾曲受け面に面接触する凹曲面が形成された台座本体から取付物が固定される取付物固定部が張り出された取付台座部材と、
前記取付台座部材の前記台座本体に形成されたドーム状部の凸曲面に面接触する凹曲面を有するドーム形ワッシャと、
前記取付台座部材の前記台座本体を貫通するボルト挿通孔と前記ドーム形ワッシャの前記ドーム状部を貫通する貫通孔とに通したねじ軸部を前記受け座部に前記球座部の頂部から穿設された孔の内側の雌ねじ部に螺着して設けられ、前記取付台座部材を前記球座部に締め付け固定する固定用ボルトとを有し、
前記取付台座部材は、前記凹曲面の中央部に前記ボルト挿通孔が開口され、前記ボルト挿通孔の内周面と前記固定用ボルトのねじ軸部との間に、前記球座部の湾曲受け面に沿う前記取付台座部材のスライド移動を可能にするためのクリアランスが確保されており、
前記ドーム形ワッシャは、前記固定用ボルトの頭部によって取付台座部材の前記ドーム状部に押し付け固定されることを特徴とする取付物支持ユニット。
【請求項４】
前記ボルト挿通孔が長孔であることを特徴とする請求項１〜３のいずれか１項に記載の取付物支持ユニット。
【請求項５】
前記ボルト挿通孔が丸孔であることを特徴とする請求項１〜３のいずれか１項に記載の取付物支持ユニット。
【請求項６】
取り付けベースの複数箇所に請求項４に記載の取付物支持ユニットが、前記長孔が互いに平行の向きで固定され、前記取付物が、各取付物支持ユニットの取付台座部材の取付物固定部に固定して各取付物支持ユニットによって支持されていることを特徴とする取付物支持構造。